(57)【要約】【課題】  色合いを維持しつつ輝度向上をはかって多色画像を表示することができる画像表示装置を得る。【解決手段】  画像入力部３２に入力された画像データについて色座標判定部４４で対象の色空間を判定し、指定された輝度値を超え、色座標が色空間の境界線上にないときに、標準色変換部４６においてＲＧＢの三刺激値からなるマトリクスで色変換する。次に特定色変換部４８において白色とＲＧＢの該当する２色からなる三刺激値からなるマトリクスで色変換し、係数決定部５２において決定されたｋ係数部５４の係数ｋ及びｈ係数部５６の係数ｈが乗じられたデータが合成部５８で加算される。そのＲＧＢＷの合成データは、階調変換部６０に入力され、階調変換されて、その階調データによりミラー駆動部４０で空間光変調素子２０が駆動されてスクリーン２４に画像が表示される。【選択図】      図４
2007078863.tif 000002
【特許請求の範囲】
【請求項１】
予め定めた赤色、緑色及び青色の各色を基準色とする第１表色系の色成分を表す画像データを用いて多色画像を表示する画像表示装置において、
前記第１表色系と異なる赤色、緑色及び青色の各色を基準色とする第２表色系により画像を表示すると共に、入力されるデバイスデータに応じて前記第２表色系に含まれる白色、赤色、緑色及び青色の各色を画素毎に表示する表示手段と、
入力された第１表色系の画像データを用いて前記表示手段の赤色、緑色及び青色の各色を基準色とする第２表色系における赤色、緑色及び青色の各色成分を表す基本データを求める基本色演算手段と、
入力された第１表色系の画像データを用いて前記表示手段の赤色、緑色及び青色の何れか２色と、白色とを基準色とする第３表色系における前記２色及び白色の各色成分を表す特定データを求める特定色演算手段と、
前記基本色演算手段の各基準データと、前記特定色演算手段の各特定データとを前記表示手段の最大輝度を超えないように同色について合成して白色、赤色、緑色及び青色の各色の合成データを求める合成手段と、
前記合成データに基づいて前記表示手段の各色のデバイスデータを求める出力データ演算手段と、
を備えたことを特徴とする画像表示装置。
【請求項２】
前記合成手段は、前記基本色演算手段の基準データと、前記特定色演算手段の特定データとを所定比率で各色毎に加算する加算手段と、前記所定比率を決定する決定手段とから構成することを特徴とする請求項１に記載の画像表示装置。
【請求項３】
入力手段をさらに備え、前記合成手段は、前記入力手段の入力値に基づいて前記同色について合成することを特徴とする請求項１又は請求項２に記載の画像表示装置。
【請求項４】
前記画像データの輝度値を演算する輝度演算手段をさらに備え、前記合成手段は、前記輝度演算手段による輝度値に基づいて前記同色について合成することを特徴とする請求項１乃至請求項３の何れか１項に記載の画像表示装置。
【請求項５】
入力された画像データの色座標を演算する座標演算手段をさらに備え、前記決定手段は、前記座標演算手段による座標値に基づいて前記同色について合成することを特徴とする請求項１乃至請求項４の何れか１項に記載の画像表示装置
【請求項６】
表示する画像の全画像データから該画像の輝度分布、明るさ分布、及び色分布の少なくとも１つの傾向を求める画像傾向演算手段をさらに備え、前記合成手段は、前記画像傾向演算手段の演算値に基づいて前記同色について合成することを特徴とする請求項１乃至請求項５の何れか１項に記載の画像表示装置。
【請求項７】
表示する画像を予め定めた大きさに領域分割した分割画像に対応する画像データ群を定める設定手段をさらに備え、前記合成手段は、前記設定手段の設定値に基づいて前記分割画像に対応する画像データ群に含まれる画像データについて同一傾向となるように前記同色について合成することを特徴とする請求項１乃至請求項６の何れか１項に記載の画像表示装置。
【請求項８】
前記合成手段において、前記特定色演算手段の各特定データを合成データに含めることを禁止する禁止手段をさらに備えたことを特徴とする請求項１乃至請求項７の何れか１項に記載の画像表示装置。
【発明の詳細な説明】
【技術分野】
【０００１】
本発明は、画像表示装置にかかり、特に、少なくとも予め定めた赤色、緑色及び青色の各色を基準色として画像を表示する画像表示装置に関する。
【背景技術】
【０００２】
多色画像を表示する場合、赤色、緑色及び青色の各色を基準色として画像表示することが一般的に行われていた。このような画像表示装置では、白色を表示する場合、赤色、緑色及び青色の各色を一定量づつ提示することによって行われていたが、３色の合成では、白色の再現性が良好でない場合があった。
【０００３】
これを解消するため、赤色、緑色及び青色の各色に、白色を基準色として追加した画像表示装置が提案されている（例えば、特許文献１参照）。この技術では、ＲＧＢの各画素の輝度に比例した白色輝度と白色単体の輝度とを用いて、画像を表示する４色表示装置を提案している。
【特許文献１】特開２００４−２８６８１４号公報
【発明の開示】
【発明が解決しようとする課題】
【０００４】
しかしながら、色として白色成分を中心に考えると、白色については良好な結果が得られるものの、他色について良好な色合いや輝度の向上を図ることは不十分であった。
【０００５】
また、白色を基準として一律に画像を調整したのでは、ユーザの希望にそぐわない場合もある。例えば、ユーザは、画像によっては、多少の色合いを犠牲にしても明るい画像を望む場合があったり、多少の明るさを犠牲にしても忠実な色合いの画像を望む場合があったりする。
【０００６】
そこで、本発明は、色合いを維持しつつ輝度向上をはかって多色画像を表示することができる画像表示装置を得ることを目的とする。
【０００７】
また、他の目的は、色合いと輝度との関係を調整可能に多色画像を表示することができる画像表示装置を得ることを目的とする。
【課題を解決するための手段】
【０００８】
上記目的を達成するため、請求項１記載の発明の画像表示装置は、予め定めた赤色、緑色及び青色の各色を基準色とする第１表色系の色成分を表す画像データを用いて多色画像を表示する画像表示装置において、前記第１表色系と異なる赤色、緑色及び青色の各色を基準色とする第２表色系により画像を表示すると共に、入力されるデバイスデータに応じて前記第２表色系に含まれる白色、赤色、緑色及び青色の各色を画素毎に表示する表示手段と、入力された第１表色系の画像データを用いて前記表示手段の赤色、緑色及び青色の各色を基準色とする第２表色系における赤色、緑色及び青色の各色成分を表す基本データを求める基本色演算手段と、入力された第１表色系の画像データを用いて前記表示手段の赤色、緑色及び青色の何れか２色と、白色とを基準色とする第３表色系における前記２色及び白色の各色成分を表す特定データを求める特定色演算手段と、前記基本色演算手段の各基準データと、前記特定色演算手段の各特定データとを前記表示手段の最大輝度を超えないように同色について合成して白色、赤色、緑色及び青色の各色の合成データを求める合成手段と、前記合成データに基づいて前記表示手段の各色のデバイスデータを求める出力データ演算手段と、を備えたことを特徴とする。
【０００９】
請求項２の発明は、請求項１に記載の画像表示装置において、前記合成手段は、前記基本色演算手段の基準データと、前記特定色演算手段の特定データとを所定比率で各色毎に加算する加算手段と、前記所定比率を決定する決定手段とから構成することを特徴とする。
【００１０】
請求項３の発明は、請求項１又は請求項２に記載の画像表示装置において、入力手段をさらに備え、前記合成手段は、前記入力手段の入力値に基づいて前記同色について合成することを特徴とする。
【００１１】
請求項４の発明は、請求項１乃至請求項３の何れか１項に記載の画像表示装置において、前記画像データの輝度値を演算する輝度演算手段をさらに備え、前記合成手段は、前記輝度演算手段による輝度値に基づいて前記同色について合成することを特徴とする。
【００１２】
請求項５の発明は、請求項１乃至請求項４の何れか１項に記載の画像表示装置において、入力された画像データの色座標を演算する座標演算手段をさらに備え、前記決定手段は、前記座標演算手段による座標値に基づいて前記同色について合成することを特徴とする。
【００１３】
請求項６の発明は、請求項１乃至請求項５の何れか１項に記載の画像表示装置において、表示する画像の全画像データから該画像の輝度分布、明るさ分布、及び色分布の少なくとも１つの傾向を求める画像傾向演算手段をさらに備え、前記合成手段は、前記画像傾向演算手段の演算値に基づいて前記同色について合成することを特徴とする。
【００１４】
請求項７の発明は、請求項１乃至請求項６の何れか１項に記載の画像表示装置において、表示する画像を予め定めた大きさに領域分割した分割画像に対応する画像データ群を定める設定手段をさらに備え、前記合成手段は、前記設定手段の設定値に基づいて前記分割画像に対応する画像データ群に含まれる画像データについて同一傾向となるように前記同色について合成することを特徴とする。
【００１５】
請求項８の発明は、請求項１乃至請求項７の何れか１項に記載の画像表示装置において、前記合成手段において、前記特定色演算手段の各特定データを合成データに含めることを禁止する禁止手段をさらに備えたことを特徴とする。
【発明の効果】
【００１６】
本発明によれば、入力された第１表色系の画像データに対応する前記表示手段の第２表色系における赤色、緑色及び青色の各色成分を表す基本データを基本色演算手段により求め、赤色、緑色及び青色の何れか２色と、白色とを基準色とする第３表色系における各色成分を表す特定データを特定色演算手段により求めて、表示手段の最大輝度を超えないように同色について合成するので、色合いを維持しつつ輝度向上を図って、多色画像を表示することができる、という効果がある。
【００１７】
また、基本データと選択データとを選択的に合成することができるので、色合いと輝度との関係を調整可能に多色画像を表示することができる。
【発明を実施するための最良の形態】
【００１８】
以下、本発明の好ましい実施の形態について図面を参照しながら詳細に説明する。本実施の形態は、光源からの光を複数の微細なミラーによる偏向することによってスクリーンへ投影して画像を表示する投影光学系による画像表示装置に本発明を適用したものである。
【００１９】
〔第１実施形態〕
まず、本発明の実施の形態に係る画像表示装置について、図１を参照して説明する。
【００２０】
図１に示すように、画像表示装置１０は、光源１２を備えており、光源１２の射出側に、レンズ１４，回転フィルタ１６、レンズ１８が順に設置される。レンズ１８の射出側には、空間光変調素子２０が設置される。この空間光変調素子２０は、入射された光ビームを画像データに応じて各画素毎に変調するもので、本実施形態では、デジタル・マイクロミラー・デバイス（ＤＭＤ）を採用する。空間光変調素子２０の光ビームを射出する光変調側には、投影レンズ２２を介してスクリーン２４が設置される。
【００２１】
空間光変調素子２０として採用したＤＭＤは、ＳＲＡＭセル（メモリセル）上に、微小ミラー（マイクロミラー）が支柱により支持されて配置されたものであり、画素（ピクセル）を構成する多数の微小ミラーを格子状に配列して構成されたミラーデバイスである。各ピクセルには、最上部に支柱に支えられたマイクロミラーが設けられ、マイクロミラーの表面にはアルミニウム等の反射率の高い材料が蒸着される。なお、マイクロミラーの反射率は９０％以上である。また、マイクロミラーの直下には、ヒンジ及びヨークを含む支柱を介して通常の半導体メモリの製造ラインで製造されるシリコンゲートのＣＭＯＳのＳＲＡＭセルが配置されており、全体はモノリシック（一体型）に構成される。
【００２２】
図２に示すように、本実施形態では、回転フィルタ１６は、白色、赤色、緑色及び青色の４色の各色領域を有する４セグメントカラーホイールを採用する。この回転フィルタ１６は、半径方向の所定位置（例えば中央部や外周近傍）に光軸が位置するように画像表示装置１０に設置され、回転フィルタ１６が中心点Ｏを中心に回転することにより、白色、赤色、緑色及び青色の各色の光ビームが空間光変調素子２０へ照射される。
【００２３】
本実施形態の回転フィルタ１６は、白色、赤色、緑色及び青色の各色領域の位置関係について、緑色及び青色が隣り合わないように形成される。これは緑色及び青色のフィルタの回転による混色を抑制するために有効である。
【００２４】
なお、回転フィルタ１６、及び空間光変調素子２０は、後述する制御装置３０（図３）に接続される。この制御装置３０からの信号により回転フィルタ１６の回転が制御されると共に、空間光変調素子２０における光変調が制御される。回転フィルタ１６の回転により、回転フィルタ１６から射出される光ビームの色が変更され、また、空間光変調素子２０の制御により空間光変調素子２０からスクリーン２４へ向かう光ビームの光量が変更される。
【００２５】
制御装置３０は、回転フィルタ１６を一定速度で回転するように制御する制御信号を生成すると共に、空間光変調素子２０の制御すべき領域内の各マイクロミラーを駆動制御する制御信号を生成する。そして、制御装置３０では、回転フィルタ１６を所定速度となるように回転制御すると共に、画像データの制御信号に基づいて、各空間光変調素子２０の各マイクロミラーの反射面の角度を制御する。
【００２６】
なお、光源１２は、放射輝度の波長分布は予め既知のものが用いられ、回転フィルタ１６は、各色領域（白色、赤色、緑色及び青色の各領域）毎に分光特性が測定されたものが用いられる。また、スクリーン２４へ至るまでに光ビームが透過及び反射する光学素子、すなわち、レンズ１４，１８，投影レンズ２２、及び空間光変調素子２０についても、分光特性が測定されたものが用いられる。従って、光源１２から射出されスクリーン２４へ到達する光ビームは、空間光変調素子２０の制御範囲内でかつ回転フィルタ１６の各色領域（白色、赤色、緑色及び青色の各領域）毎に、分光特性が既知であるものとされる。
【００２７】
図３に示すように、制御装置３０は、コンピュータ構成とされ、その機能部として表示のための画像を入力する画像入力部３２，設定入力部３４，色変換部３６，フィルタ駆動部３８，ミラー駆動部４０を備えている。画像入力部３２は、色変換部３６を介してミラー駆動部４０に接続され、画像入力部３２から出力される画像データに応じてミラー駆動部４０が空間光変調素子２０を駆動することにより、スクリーン２４へ画像表示する。色変換部３６には設定入力部３４も接続され、詳細を後述する色変換の傾向を調整するための設定値を入力できる構成になっている。なお、フィルタ駆動部３８は、本実施形態では、回転フィルタ１６を一定速度で回転制御するドライバとして機能する。
【００２８】
画像入力部３２は、画像表示装置１０において画像をデジタル的に扱うことを可能とする入力変換部である。画像入力部３２の一例としては、外部の情報端末（例えばコンピュータ）に接続するインタフェースを備え、該情報端末から出力される画像データを表示のための画像として入力するインタフェース装置がある。他例としては、原稿の画像を読み取りデジタルの画像データに変換して出力するスキャナ等の画像読み取り装置がある。
【００２９】
色変換部３６は、画像入力部３２から入力された（情報端末や画像読み取り装置の）外部装置の表色系で表される画像データを、本実施形態の画像表示装置１０の表色系において忠実に再現したり、より明るさを向上させたりする画像データに変換する機能部である（詳細は後述）。色変換部３６から出力される画像データは、ミラー駆動部４０へ出力される。ミラー駆動部４０は空間光変調素子２０を駆動するためのドライバである。
【００３０】
また、色変換部３６には設定入力部３４も接続されている。設定入力部３４は、スイッチ等により構成され、色変換の傾向を調整するための設定値を入力するためのものである。例えば、より明るさを向上する画像を提示する輝度優先または忠実に色を表現する画像を提示する色優先の設定値を出力する、切換スイッチで設定入力部３４を構成することができる。また、詳細を後述する各色の輝度値により色変換部３６の傾向を変更する場合における色の組み合わせを選択する機能も有している。
【００３１】
なお、本実施形態では、設定入力部３４をスイッチ等の構成として設定値を入力する場合について説明するが、設定値をメモりに記憶しておき、図示を省略したキーボード等の入力装置によって選択した入力したりてもよい。
【００３２】
図４に示すように、色変換部３６は、輝度演算部４２，色座標判定部４４，標準色変換部４６，特定色変換部４８，データベース５０，係数決定部５２，ｋ係数部５４，ｈ係数部５６，合成部５８，及び階調変換部６０を含んで構成されている。
【００３３】
輝度演算部４２，色座標判定部４４，標準色変換部４６，及び特定色変換部４８は画像入力部３２から画像データが入力されるように接続され、輝度演算部４２及び色座標判定部４４は出力側が係数決定部５２の入力側に接続される。係数決定部５２の入力側には設定入力部３４からの設定値が入力されるようにも接続される。標準色変換部４６の出力側は、ｋ係数部５４を介して合成部５８に接続される。ｋ係数部５４は、係数決定部５２で決定された値の係数ｋを乗じたデータを合成部５８へ出力する。特定色変換部４８の出力側は、ｈ係数部５６を介して合成部５８に接続される。ｈ係数部５６は、係数決定部５２で決定された値の係数ｈを乗じたデータを合成部５８へ出力する。合成部５８は、標準色変換部４６からのデータと特定色変換部４８からのデータを合成するもので、出力側が階調変換部６０に接続される。階調変換部６０は入力されたデータを階調変換してその階調データをミラー駆動部４０へ出力するようになっている。
【００３４】
なお、輝度演算部４２，色座標判定部４４，標準色変換部４６，特定色変換部４８，係数決定部５２，及び階調変換部６０は、各種データを記憶したデータベース５０に接続される。
【００３５】
標準色変換部４６は、入力された外部装置の表色系（第１表色系）で表される画像データを、本実施形態の画像表示装置１０において赤色、緑色及び青色の３色を基準色とする表色系（第２表色系）で表される画像データに変換する機能部である。本実施の形態では、第１表色系としてＸＹＺの三刺激値で表すＸＹＺ表色系を用い、第２表色系として赤色、緑色及び青色の３色（ＲＧＢ）の三刺激値で表すＲＧＢ表色系を用いた場合を説明する。
【００３６】
図５に示すように、ここでいう表色系とは、色度図内で色表現可能な色空間をいう。例えば、全ての色を表現できる釣り鐘状の空間（図５は一定の明るさについて表示している領域である。すなわち、等エネルギースペクトル色光をＸＹＺ三次元表示し、それらと単位面((XYZ)=(100),(010),(001)の点を含む面）との交点群をＸＹ面に投影したものがｘｙ色度図の釣り鐘状の空間になる。つまり明るさ情報がないものである。）が第１表色系であり、その内部に含まれる赤色、緑色及び青色の３色（ＲＧＢ）の三刺激値を基準とする空間（図５は一定の明るさについて表示しているので三角形領域の色空間６２である）が第２表色系である。
【００３７】
第１表色系から第２表色系への変換は、以下の（１）式により計算することができる。すなわち、ＲＧＢの三刺激値からなるマトリクスで色変換を行う。
【００３８】
【数１】
2007078863.tif 000003
【００３９】
ただし、Ｘ，Ｙ，Ｚは、画像内の１画素として入力される画像データであり、linear_r1,linear_g1,linear_bは、出力する画像データである。また、マトリクスの各値は、データベース５０に記憶されている。
【００４０】
特定色変換部４８は、入力された外部装置の表色系（第１表色系）で表される画像データを、上記画像表示装置１０において赤色、緑色及び青色の３色を基準色とする表色系（第２表色系）をさらに細分化した表色系、すなわち赤色、緑色及び青色のうちの２色及び白色の３色を基準色とする表色系（第３表色系）で表される画像データに変換する機能部である。本実施の形態では、第３表色系として赤色、緑色及び青色のうちの２色（ＲＧ，ＧＢ，ＢＲのいずれか）と、白色（Ｗ）とを用いた場合を説明するが、白色（Ｗ）に限定するものではなく、第２表色系の色空間６２の内部であればいずれでも良い。
【００４１】
第３表色系は、図５に示す色座標系において、赤色及び緑色の２色（ＲＧ）の三刺激値の色座標６４Ｒ，６４Ｇと、白色（Ｗ）の三刺激値の色座標６４Ｗを基準とする三角形領域の色空間６２ＲＧ、緑色及び青色の２色（ＧＢ）の三刺激値の色座標６４Ｇ，６４Ｂと、白色（Ｗ）の三刺激値の色座標６４Ｗを基準とする三角形領域の色空間６２ＧＢ、青色及び赤色の２色（ＢＲ）の三刺激値の色座標６４Ｂ，６４Ｒと、白色（Ｗ）の三刺激値の色座標６４Ｗを基準とする三角形領域の色空間６２ＢＲのいずれかである。
【００４２】
第１表色系から色空間６２ＲＧの第３表色系への変換は、以下の（２）式により計算することができる。すなわち、ＲＧＷの三刺激値からなるマトリクスで色変換を行う。
【００４３】
【数２】
2007078863.tif 000004
【００４４】
ただし、linear_r2,linear_g2,linear_wは、出力する画像データである。また、マトリクスの各値は、データベース５０に記憶されている。
【００４５】
なお、他の色空間６２ＧＢ，６２ＢＲについても同様であるため、詳細な説明を省略する。
【００４６】
ｋ係数部５４，ｈ係数部５６，及び合成部５８は、標準色変換部４６及び特定色変換部４８から出力される画像データを合成する部分である。ｋ係数部５４，ｈ係数部５６，及び合成部５８では、以下の（３）式により、ＲＧＢＷの各色の合成データlinear_r,linear_g,linear_b,linear_w,を計算することができる。なお、以下の（３）式は、入力される画像データが色空間６２ＲＧ内に含まれる場合を示すが、他の色空間でも同様である。
【００４７】
【数３】
2007078863.tif 000005
【００４８】
ただし、ｋ、ｈは係数である。
【００４９】
係数決定部５２は、ｋ係数部５４，及びｈ係数部５６の係数値を決定する機能部である。係数決定部５２には、設定入力部３４，輝度演算部４２，及び色座標判定部４４からデータが入力される。輝度演算部４２は、入力される画像データの輝度を演算する機能部であり、色座標判定部４４は、入力される画像データが色空間６２ＲＧ，６２ＧＢ，６２ＢＲのいずれに位置するかを判定する機能部である。係数決定部５２では、入力されたデータから各係数を決定する。この係数決定部５２で係数を決定するときには、以下の（４）式で示す決定条件を満たすように係数の値を調整する。
【００５０】
【数４】
2007078863.tif 000006
【００５１】
ただし、device_r1,device_r2,device_g1,device_g2,device_b,device_w は、画像表示装置１０において表示される画素の輝度を示す階調データを規格化した値（例えば０〜１の値）であり、決定条件は後述する階調変換後の各色の値が最大輝度を超えないような値を決定するように調整するものである。
【００５２】
階調変換部６０は、入力された画像データを階調データに変換する機能部である。この階調変換部６０では、以下の（５）式により、画像表示装置１０において基準色とする白色、赤色、緑色及び青色の階調データdevice_r,device_g,device_b,device_wを求めることができる。
【００５３】
【数５】
2007078863.tif 000007
【００５４】
ただし、ｒＦ，ｇＦ，ｂＦ，ｗＦは、予め設定した階調変換関数である。
【００５５】
次に、本実施形態の作用を説明する。図６には、本実施形態の画像表示装置１０における処理のプロセスを示した。
【００５６】
まず、ステップ１００では、画像入力部３２に画像データが入力され、次のステップ１０２では色座標判定部４４において画像データの色座標が位置する色空間を判定する。例えば、図５に示すように、画像データが色座標６６Ａである場合には、色空間６２ＲＧと判定される。このステップ１０２では、輝度演算部４２において、画像データの輝度値も計算される。輝度値は、赤色、緑色及び青色の各色毎に計算したり、その平均値を求めたりする。
【００５７】
次のステップ１０４では、上記計算した輝度値が予め指定された輝度値以内か否かを判断し、肯定されるとステップ１１８へ進み、否定されるとステップ１０６へ進む。この判断は、輝度値に応じて、白色成分を追加するか否かの判定であり、係数決定部５２において実行される。すなわち、一定輝度を超えないと、白色成分を追加することで、画像の色再現性が損なわれることがあるため、白色成分を追加することが有効な輝度値が予め指定されている。
【００５８】
ステップ１０６では、画像データの色座標が色空間６２ＲＧ，６２ＧＢ，６２ＢＲの境界（図５の境界線６８Ｒ，６８Ｇ，６８Ｂのいずれかの線上）または所定範囲内に位置（例えば、図５に示す色座標６６Ｂの位置）するか否かが判断される。肯定されるとステップ１１８へ進み、否定されるとステップ１０８へ進む。この判断は、忠実な色再現のために必要である。画像データの色座標が境界線６８Ｒ，６８Ｇ，６８Ｂのいずれかの線上にある場合、色空間６２ＲＧ，６２ＧＢ，６２ＢＲの何れか２つにまたがることになり、求めた第３表色系に含まれない色の成分が影響すると考えられる。このため、忠実な色を表示する場合には好ましくないので、本実施形態では境界線上または予め定めた範囲内の画像データについては、白色成分を追加することを抑制または禁止している。図６の例では、禁止した場合の判断を示すもので、抑制する場合には、係数の比率を例えば一定量白色側を小さくすることで対処することができる。
【００５９】
ステップ１０８では、標準色変換部４６において、上述のようにして、画像データについて、ＲＧＢの三刺激値からなるマトリクスで色変換を行う。次のステップ１１０では、特定色変換部４８において画像データが位置する色座標の色領域に対応して上述のようにして色変換を行う。例えば画像データが色座標６６Ａである場合、ＲＧＷの三刺激値からなるマトリクスで色変換を行う。
【００６０】
次のステップ１１２では、係数決定部５２において係数を決定し、ｋ係数部５４及びｈ係数部５６へ格納する。係数ｋ、ｈは、上記（４）式で示す決定条件を満たすように決定される。係数ｋ、ｈの比率を決定するに際して、まず、設定入力部３４から入力される設定値により、追加する白色成分の比率を決定する。これは、白色は輝度が高いので、白色成分を追加すると輝度が増加するので、画像として輪郭が強調される疑似輪郭が生じる場合がある。このため、白色成分の増加は多すぎない方が好ましい。しかし、白色成分の増加で輝度が増加する明るい画像提供を期待できる。従って、白色成分の追加量や比率を調整することで、色が忠実かつ明るい画像を提供できる。
【００６１】
そこで、本実施形態では、設定入力部３４による設定は、追加する白色成分の比率を表す指定をするものとする。この場合、上述の色優先の場合には、０％、輝度優先の場合には、所定比率とすればよい。また、本実施形態では、０％、１０％、２０％、３０％の４段階の増加を設定できるものとする。これは、図２に示す回転フィルタ１６についてＲＧＢに対して２０％程度の白色の面積を追加する実験を行った結果、ＲＧＢ３原色の輝度と白色の輝度とがほぼ等しく、回転フィルタ１６の面積と輝度がほぼ比例関係にあるという実験結果を得たことから本発明者が得た知見である。つまり、２０％から段階的にその前後１０％（１０％と３０％）を追加するモードで輝度を向上させることができる傾向を選択でき、０％を追加することで、色を忠実に表現できるモードを設定できる。これを元にして係数を決定すればよい。
【００６２】
なお、設定入力部３４によるモードの設定に依存することなく、画像データの輝度値からモードを自動的に選択するようにしてもよい。例えば、輝度について複数のしきい値を設定し、各々の範囲に設定モードを設定してもよい。
【００６３】
次のステップ１１４では、合成部５８により、係数ｋが乗じられた標準色変換部４６の画像データと、係数ｈが乗じられた特定色変換部４８の画像データが加算され、ＲＧＢＷの合成データが得られる。この合成データは、階調変換部６０に入力され、階調変換されて、その階調データにより、次のステップ１２２においてミラー駆動部４０で空間光変調素子２０を駆動する。このようにして、スクリーン２４に画像が表示される。
【００６４】
一方、白色成分の追加をすることなく、画像表示するため、ステップ１１８では、上記ステップ１０８と同様に、標準色変換部４６において色変換を行い、次のステップ１２０では、ステップ１１８の色変換結果のみのデータで、階調変換部６０において階調変換されて、その階調データにより、ミラー駆動部４０で空間光変調素子２０を駆動する（ステップ１２２）。このステップ１２０では、標準色変換部４６の出力値がそのまま階調変換部６０へ出力されるように、ｋ係数部５４，ｈ係数部５６を係数決定部５２が決定するようにすればよい。
【００６５】
図７及び図８には、本実施形態の画像表示装置１０により画像を表示したときのフィルタ面積と色域の関係を示した。ここでのフィルタ面積とは、上述の回転フィルタ１６についてＲＧＢに対して追加する白色の面積であり、画像表示装置１０では設定入力部３４で入力した設定値によるモードに対応する。図から理解されるように、色のプロファイルを大幅に変更することなく、輝度が増加している。すなわち、本実施形態の画像表示装置１０によれば、色を忠実に表現しつつ明るさが向上することが理解できる。
【００６６】
このように、本実施形態によれば、標準色変換部４６において外部装置の表色系（第１表色系）で表される画像データを、赤色、緑色及び青色の３色を基準色とする表色系（第２表色系）の画像データに変換し、特定色変換部４８において赤色、緑色及び青色のうちの２色及び白色の３色を基準色とする表色系（第３表色系）の画像データに変換した後に、所定比率で合成する。すなわち、同一の色を異なる２種類の表色系の画像データで表現し、合成している。これにより、白色（Ｗ）を含む成分が増加するので、明るさが向上した画像を表示することができる。
【００６７】
また、輝度演算部４２で求めた輝度値が所定値を超えるときに白色を増加させるので、疑似輪郭を抑制できると共に画像の明るさ度合いに応じてより明るさが増強される画像を提示することができる。また、色座標判定部４４で求めた色座標の位置が色空間６２ＲＧ，６２ＧＢ，６２ＢＲの境界に位置しないときに白色を増加させるので、２つの色空間にまたがる色については、基本の色空間６２（ＲＧＢ）による色を表現することができる。このため、忠実な色を表示することができる。
【００６８】
なお、上記では、境界線上または予め定めた範囲内の画像データについては、白色成分を追加することを抑制または禁止する場合を説明したが、本発明はこれに限定されるものではない。例えば、２つの色空間にまたがる色の場合、その境界線の両端の色座標の三刺激値により色再現するようにしてもよい。例えば、図５に示す色座標６６Ｂの位置の色の場合、ＲＷの三刺激値の比率により再現してもよい。すなわち、赤色の三刺激値の色座標６４Ｒと、白色（Ｗ）の三刺激値の色座標６４Ｗとを基準として色再現するようにしてもよい。
【００６９】
〔第２実施形態〕
上記実施形態は、画像データとして画素毎に個別に色変換する場合を説明したが、本実施形態は画像を複数に分割した分割領域を基にして色変換するものである。なお、本実施形態は、上記実施形態とほぼ同様の構成のため、同一部分には同一符号を付して詳細な説明を省略する。
【００７０】
本実施形態では、画像を形成する複数の画像データからなる画像データ群を一旦画像メモリに格納してその画像データ群を用いて処理するものである。このため、画像入力部３２として、画像データ群を格納するための画像メモリ７０及びその画像メモリ７０から画素の画像データを抽出する画像データ部７２から構成する。
【００７１】
図９に示すように、本実施形態の色変換部３６は、分割領域輝度演算部７４，該当分割領域判定部７６，色座標判定部４４，標準色変換部４６，特定色変換部４８，データベース５０，係数決定部５２，ｋ係数部５４，ｈ係数部５６，合成部５８，及び階調変換部６０を含んで構成されている。
【００７２】
分割領域輝度演算部７４は、画像入力部３２の画像メモリ７０から画像を形成する複数の画像データからなる画像データ群が入力されるように接続される。該当分割領域判定部７６は画像入力部３２の画像データ部７２から画像データが入力されるように接続される。係数決定部５２の入力側は、上記実施形態の輝度演算部４２に代えて分割領域輝度演算部７４及び該当分割領域判定部７６の出力側が接続される。なお、分割領域輝度演算部７４及び該当分割領域判定部７６は、各種データを記憶したデータベース５０に接続される。
【００７３】
分割領域輝度演算部７４は、複数の画像データからなる画像データ群により形成される画像を縦横複数に分割した分割領域毎の平均輝度を求める機能部である。該当分割領域判定部７６は、画像に含まれる１画素が、上記分割領域のいずれに該当するかを判定する機能部である。
【００７４】
図１０は、画像８０を３行３列に分割した分割領域８２で構成される一例を示した。分割領域輝度演算部７４は、画像８０について分割領域８２毎の平均輝度を求め、該当分割領域判定部７６は、対象とする画素が画像８０内のいずれの分割領域８２に含まれるかを判定する。
【００７５】
次に、本実施形態の作用を説明する。図１１には、本実施形態の画像表示装置１０における処理のプロセスを示した。
【００７６】
まず、ステップ１３０では、画像入力部３２に画像を形成する複数の画像データからなる画像データ群が入力され、次のステップ１３２では分割領域輝度演算部７４において画像メモリ７０から画像データ群を読み取り画像８０の分割領域８２毎に分割領域８２に含まれる複数の画像データの平均輝度を求めて記憶する。次のステップ１３４では、画像８０のうちの１画素の画像データを画像データ部７２から読み取り、次のステップ１３６において上記読み取った１画素の画像データが含まれる分割領域８２を判定すると共に、その画像データの色座標が位置する色空間を判定する。
【００７７】
次のステップ１３８では、上記ステップ１３４で読み取った画像データの該当する分割領域８２の平均輝度（ステップ１３２の計算結果）が予め指定された輝度値以内か否かを判断し、肯定されるとステップ１１８へ進み、否定されるとステップ１４０へ進む。この判断は、分割領域８２内の画素について分割領域８２の平均輝度値に応じて、白色成分を追加するか否かの判定であり、係数決定部５２において実行される。
【００７８】
ステップ１４０では、上記ステップ１０６と同様に、画像データの色座標が色空間６２ＲＧ，６２ＧＢ，６２ＢＲの境界（図５の境界線６８Ｒ，６８Ｇ，６８Ｂのいずれかの線上）または所定範囲内に位置（例えば、図５に示す色座標６６Ｂの位置）するか否かが判断される。肯定されるとステップ１１８へ進み、否定されるとステップ１０８へ進む。
【００７９】
ステップ１４０で否定されると、（ステップ１０８）標準色変換部４６におけるＲＧＢによる色変換、そして特定色変換部４８における白色とＲＧＢのうちの２色による色変換（例えばＲＧＷの三刺激値からなるマトリクスで色変換）を行い、係数決定部５２において係数ｋ、ｈを決定し、合成部５８により標準色変換部４６の画像データと、特定色変換部４８の画像データを合成したＲＧＢＷの合成データを、階調変換部６０で階調変換する（ステップ１０８〜１１６）。
【００８０】
図１０には、各分割領域８２毎に追加する白色成分の比率を示したものである。図１０の例では、画像データの輝度値により白色成分の比率すなわち上述の設定モードを定めたものである。
【００８１】
次のステップ１４２では、画像８０内の全ての画素について上記処理が終了したか否かを判断し、否定されるとステップ１３４へ戻り、肯定されると、ステップ１２２において、ステップ１１６の階調データにより、ミラー駆動部４０で空間光変調素子２０を駆動する。
【００８２】
一方、白色成分の追加しない場合は、標準色変換部４６において色変換を行い、階調変換部６０において階調変換する（ステップ１１８，１２０）。
【００８３】
このように、本実施形態によれば、画素毎に白色を追加する処理をするのではなく、画像８０の分割領域８２毎に判定しているので、処理負荷を軽減することができる。また、分割領域８２毎に白色成分を増減できるので、表示する画像について分割領域８２単位で輝度を調整することができ、画像の粒子感を抑制することができる。
【００８４】
なお、上記の実施の形態では、画像表示装置１０として光源からスクリーンまでを構成としたが、各々独立構成としてもよい。また、本実施形態の主要部である色変換部３６を１装置として説明したが、機能部を独立構成として分離して接続しても良い。
【図面の簡単な説明】
【００８５】
【図１】本発明の実施形態にかかる画像表示装置の概略構成を示す斜視図である。
【図２】本実施形態に用いた回転フィルタの概略構成を示すイメージ図である。
【図３】本実施形態にかかる制御装置の概略構成を示すブロック図である。
【図４】第１実施形態にかかる制御装置に含まれる色変換部の概略構成を示すブロック図である。
【図５】表色系の色空間についての説明図である。
【図６】第１実施形態の処理の流れを示すフローチャートである。
【図７】Ｙｘ平面における回転フィルタの白色面積（比率）と色域及び輝度の関係を示す特性図である。
【図８】Ｙｙ平面における回転フィルタの白色面積（比率）と色域及び輝度の関係を示す特性図である。
【図９】第２実施形態にかかる制御装置に含まれる色変換部の概略構成を示すブロック図である。
【図１０】第２実施形態にかかる画像を分割して扱う分割領域の説明図である。
【図１１】第２実施形態の処理の流れを示すフローチャートである。
【符号の説明】
【００８６】
１０…画像表示装置
１２…光源
１６…回転フィルタ
２０…空間光変調素子
２４…スクリーン
３０…制御装置
３２…画像入力部
３４…設定入力部
３６…色変換部
３８…フィルタ駆動部
４０…ミラー駆動部
４２…輝度演算部
４４…色座標判定部
４６…標準色変換部
４８…特定色変換部
５０…データベース
５２…係数決定部
５４…ｋ係数部
５６…ｈ係数部
５８…合成部
６０…階調変換部
【図１】
2007078863.tif 000008
【図２】
2007078863.tif 000009
【図３】
2007078863.tif 000010
【図４】
2007078863.tif 000011
【図５】
2007078863.tif 000012
【図６】
2007078863.tif 000013
【図７】
2007078863.tif 000014
【図８】
2007078863.tif 000015
【図９】
2007078863.tif 000016
【図１０】
2007078863.tif 000017
【図１１】
2007078863.tif 000018